(57)【要約】【課題】本発明の目的は、機器を複雑にすることなく高速にタッチ位置検出をおこなうことができるタッチパネル装置を提供することにある。【解決手段】タッチパネル装置１０は、電子機器１１の表示部１２の前面に設けられたタッチパネル１６と、タッチパネル１６に対するタッチの有無やタッチ位置を検出するタッチパネル制御部１８とを備える。タッチパネル制御部１８は、上側透明基板にタッチがあってからリリースされるまでの間、最初にタッチ検出をおこなった後にタッチ位置検出を繰り返し、タッチ位置検出時の電極の電位からリリースを判定する。【選択図】図１
2009175902.tif 000002
【特許請求の範囲】
【請求項１】
対向して配置された２枚の透明基板と、
前記２枚の透明基板の互いに対向する面に設けられた抵抗膜と、
前記抵抗膜に設けられた電極と、
前記電極への電圧印加を制御し、電極の電位からタッチ検出とタッチ位置検出をおこなうタッチパネル制御部と、
を含むタッチパネル装置において、
前記タッチパネル制御部が、いずれかの透明基板にタッチがあってからリリースされるまでの間、最初にタッチ検出をおこなった後にタッチ位置検出を繰り返し、タッチ位置検出時の電極の電位からリリースを判定するタッチパネル装置。
【請求項２】
前記タッチ位置検出は透明基板のＸ座標検出とＹ座標検出とを含み、タッチパネル制御部が、Ｘ座標検出とＹ座標検出との順番を１回ごとに変更してタッチ位置検出を繰り返す請求項１のタッチパネル装置。
【請求項３】
前記タッチパネル制御部は、タッチ位置検出時の電極の電位が所定値以下になった場合にリリースと判定する請求項１または２のタッチパネル装置。
【請求項４】
前記タッチパネル制御部は、最初のタッチ検出をおこなう前に座標を検出するための電圧を電極に印加し、電極の最低の電位を前記所定値として記憶する請求項３のタッチパネル装置。
【発明の詳細な説明】
【技術分野】
【０００１】
本発明は、電子機器にデータを入力するためのタッチパネル装置に関するものである。
【背景技術】
【０００２】
近年、ＰＤＡなどの種々のモバイル型の電子機器が販売されている。液晶パネルなどからなる表示部の前面にタッチパネルを設けて、機器の操作やデータの入力にタッチパネル装置を利用する機器がある。タッチパネル装置を使用すると、直感的に操作が可能であり、機器の操作が簡単になるメリットがある。
【０００３】
従来の抵抗膜方式のタッチパネル装置の動作について図５と図６を用いて説明する。タッチパネル１６は、表面に抵抗膜Ｒ１，Ｒ２が形成された透明基板を２枚有し、抵抗膜Ｒ１，Ｒ２が一定間隔で対向している。説明の便宜上、透明基板は図示していない。抵抗膜Ｒ１，Ｒ２としてはＩＴＯやＺｎＯなどが挙げられる。４線式のタッチパネルは、上部抵抗膜Ｒ１のｘ方向の両辺に電極Ｘ１，Ｘ２を有し、下部抵抗膜Ｒ２のｙ方向の両辺に電極Ｙ１，Ｙ２を有する。透明基板へのタッチによって透明基板が撓み、両抵抗膜Ｒ１，Ｒ２が接触する。電極Ｘ１，Ｙ１の電位からタッチ検出や座標検出がおこなえる。なお、上部抵抗膜Ｒ１の電極Ｘ１，Ｘ２と下部抵抗膜Ｒ２の電極Ｙ１，Ｙ２は逆であっても良い。
【０００４】
図６に示すように、タッチを検出する前にタッチパネル装置の初期化をおこない、タッチ検出をおこなうために、上部抵抗膜Ｒ１の両電極Ｘ１，Ｘ２を同電位Ｖｔにする（Ｓ１、図５（ａ））。抵抗膜Ｒ１の電位が安定するまで一定時間待機し（Ｓ２）、ディジタルデータにした電位を検出する（Ｓ３）。例えば図５（ａ）の丸印の部分にタッチされることによって、両抵抗膜Ｒ１，Ｒ２が接触し、下部抵抗膜Ｒ２の電極Ｙ１の電位はＶｔとなる。検出した電位Ｖｔが予め設定しておいた閾値以上であれば、タッチされていることがわかり（Ｓ４）、タッチ位置検出をおこなう。なお、この電位Ｖｔを複数回繰り返して検出して、ノイズなどで誤ったタッチ検出をおこなわないように、ある一定時間タッチが継続されているかを確認する。
【０００５】
タッチが検出されれば、タッチ中フラグをオンにして（Ｓ５）、タッチパネルにおけるタッチされたＸ座標の検出をおこなう（図５（ｂ））。このとき、上部抵抗膜Ｒ１の右側の電極Ｘ２の電位をＶｔ、左側の電極Ｘ１をグランドに接続してＸ座標を検出するための電位を抵抗膜Ｒ１に形成する（Ｓ６）。抵抗膜Ｒ１の右側から左側に向かって電位の傾斜が発生する。このとき、電位が安定するまで一定時間待機する（Ｓ７）。下部抵抗膜Ｒ２の電極Ｙ１の電位Ｅ４は、両抵抗膜Ｒ１，Ｒ２の接触した位置に対応する電位Ｖｘとなる。この電位Ｖｘをローパスフィルター（ＬＰＦ）を通してアナログ／ディジタル（Ａ／Ｄ）変換し（Ｓ８）、電位のディジタルデータを取得する（Ｓ９）。
【０００６】
次にタッチパネルのＹ座標の検出の検出をおこなう（図５（ｃ））。そのために、下部抵抗膜Ｒ２の上側の電極Ｙ２の電位をＶｔ、下側の電極Ｙ１をグランドに接続して、Ｙ座標を検出するための電位を抵抗膜Ｒ２に形成する（Ｓ１０）。抵抗膜Ｒ２の電位が安定するまで一定時間待機する（Ｓ１１）。上部抵抗膜Ｒ１の電極Ｘ１の電位Ｅ５は、両抵抗膜Ｒ１，Ｒ２の接触した位置に対応する電位Ｖｙとなる。この電位ＶｙをＬＰＦを通してＡ／Ｄ変換し（Ｓ１２）、電位のディジタルデータを取得する（Ｓ１３）。
【０００７】
なお、電源電圧はＶｄであるが、電極Ｘ２と電極Ｙ２の電位は、実際には配線抵抗ｒによってＶｄよりも小さいＶｔとなる。また、電極Ｘ１と電極Ｙ１の電位は、配線抵抗ｒによってグランドレベルよりも高くなる。
【０００８】
取得したＸ座標、Ｙ座標のデータをバッファに一旦保存し（Ｓ１４）、保存されたデータからＸ座標、Ｙ座標を求める（Ｓ１５）。求めた座標はタッチパネル装置が使用されている電子機器のＣＰＵなどの主制御部に送信する（Ｓ１６）。Ｓ１４でデータをバッファに保存するのは、データを複数記憶し、座標の平均値を求めるためである。座標の平均値を求めることによって、例えば座標値を用いて線を描画する際に、描線を滑らかに表示することができる。
【０００９】
タッチされている間、Ｓ１〜Ｓ１６の動作を繰り返す。タッチパネルから指が離れると（以下「リリースされる」とも言う）Ｓ４で電位Ｅ３が閾値未満になり、Ｓ１７の工程に進む。Ｓ５でタッチ中フラグをオンにしているので、タッチ中フラグをオフにし（Ｓ１８）、ＣＰＵにリリースデータを送信する（Ｓ１９）。ＣＰＵは次の処理に進むことができる。なお、タッチがされるまではＳ１〜Ｓ４の後、Ｓ１７の工程を繰り返すこととなる。
【００１０】
タッチされてからリリースされるまでの間、タッチ検出、Ｘ座標検出、Ｙ座標検出の３工程を繰り返す（図７）。毎回、タッチ検出をおこなっているため、入力が早くなると座標の検出が追いつかない場合がある。例えば、タッチパネルから文字を手書き入力する場合に文字などを認識できず、電子機器のソフトウェアでエラーとなる場合がある。
【００１１】
特許文献１には、タッチ検出とタッチ位置検出を高速におこなうために、赤外線を使用することが開示されている。しかし、赤外線を利用するとなると抵抗膜方式に簡単に適用することはできない。また、据え置き型の機器を対象としており、ＰＤＡなどに簡単に適用できないおそれがある。
【００１２】
【特許文献１】特開２００３−２２３２８０号公報
【発明の開示】
【発明が解決しようとする課題】
【００１３】
本発明の目的は、機器を複雑にすることなく高速にタッチ位置検出をおこなうことができるタッチパネル装置を提供することにある。
【課題を解決するための手段】
【００１４】
タッチパネル装置は、対向して配置された２枚の透明基板と、２枚の透明基板の互いに対向する面に設けられた抵抗膜と、抵抗膜に設けられた電極と、電極への電圧印加を制御し、電極の電位からタッチ検出とタッチ位置検出をおこなうタッチパネル制御部とを含む。タッチパネル制御部は、いずれかの透明基板にタッチがあってからリリースされるまでの間、最初にタッチ検出をおこなった後にタッチ位置検出を繰り返し、タッチ位置検出時の電極の電位からリリースを判定する。
【００１５】
タッチパネル制御部は、抵抗膜に形成された電極に電圧を印加して、タッチ検出とタッチ位置検出をおこなう。タッチ検出がなされれば、リリースされるまでタッチ位置検出を繰り返す。リリースはタッチ位置検出の電位から判定する。
【００１６】
タッチ位置検出は透明基板のＸ座標検出とＹ座標検出とを含み、タッチパネル制御部が、Ｘ座標検出とＹ座標検出との順番を１回ごとに変更してタッチ位置検出を繰り返す。
【００１７】
タッチパネル制御部は、タッチ位置検出時の電極の電位が所定値以下になった場合にリリースと判定する。
【００１８】
タッチパネル制御部は、最初のタッチ検出をおこなう前に座標を検出するための電圧を電極に印加し、電極の最低の電位を前記所定値として記憶する。
【発明の効果】
【００１９】
本発明は、本発明はタッチを１度検出すれば、後は座標検出のみであり、座標検出が従来に比べて高速におこなえる。座標検出ごとにＸ座標とＹ座標の検出する順番を変更することにより、抵抗膜に所定の電位が形成されるまでの時間も削減することができ、このことによっても座標検出の高速化が可能である。タッチされた後のリリースの判定は、取得した電位の値がタッチされていないときの電極の最低の電位の値になればリリースと判定でき、複雑な処理は含まれない。
【発明を実施するための最良の形態】
【００２０】
本発明のタッチパネル装置について図面を用いて説明する。本発明は、図１のようにタッチ検出をおこなった後、リリースされるまでタッチ検出をおこなわない。以下、タッチパネル装置の構成とともに、その動作を詳しく説明する。
【００２１】
タッチパネル装置は電子機器に取り付けられる。タッチパネル装置１０と電子機器１１との関係は図２のようになる。電子機器１１は、表示部１２、表示制御部１４、主制御部２０を有する。表示部１２は、液晶パネルや有機ＥＬパネルなどである。これらのパネルは、縦横に画素が配列されており、画素の電極に所定のパルス電圧が印加されることによって表示をおこなう。表示制御部１４は、ＣＰＵなどの主制御部２０からの信号に基づいて表示部１２に所定のパルス電圧を印加し、表示部１２で表示をおこなわせる手段である。
【００２２】
本発明のタッチパネル装置１０は、電子機器１１の表示部１２の前面に設けられたタッチパネル１６と、タッチパネル１６に対するタッチの有無やタッチ位置を検出するタッチパネル制御部１８とを備える。
【００２３】
タッチパネル１６は従来技術の図５で説明した抵抗膜方式（４線式）のタッチパネル１６である。タッチパネル１６は、対向して配置された２枚の透明基板と、２枚の透明基板の互いに対向する面に形成された抵抗膜Ｒ１、Ｒ２と、抵抗膜Ｒ１，Ｒ２に設けられた電極Ｘ１，Ｘ２，Ｙ１，Ｙ２とを備える。従来技術で説明したように、２枚の透明基板を上部透明基板と下部透明基板とし、それぞれの基板に形成された抵抗膜を上部抵抗膜Ｒ１と下部抵抗膜Ｒ２とする。下側透明基板が表示部１２と接し、上側透明基板がタッチされることとして説明する。
【００２４】
タッチパネル制御部１８は、タッチパネル１６に対するタッチやタッチ位置を検出するために、電極Ｘ１，Ｘ２，Ｙ１，Ｙ２に電圧を印加したり、電極Ｘ１，Ｘ２，Ｙ１，Ｙ２の電位を検出したりする。タッチパネル制御部１８は、この電圧の印加や電位の検出のために、後述するリファレンス値、タッチ中フラグ、タッチ状態を記憶するためのメモリ（バッファ）を備える。また、電極Ｘ１，Ｘ２，Ｙ１，Ｙ２から取得した電位を一時的に記憶したり、座標を得るための演算をおこなうために利用するメモリを備える。電位を取得する際、電位をローパスフィルター（ＬＰＦ）を通した後、アナログ／ディジタル（Ａ／Ｄ）変換してディジタルデータとして取得する。
【００２５】
図１に示すように、タッチパネル制御部１８は、上側透明基板にタッチがあってからリリースされるまでの間、最初にタッチ検出をおこなった後にタッチ位置検出を繰り返し、タッチ位置検出時の電極Ｘ１，Ｙ１の電位Ｅ４，Ｅ５からリリースを判定する。従来であれば各座標検出の前にタッチ検出をおこなっていたが、本発明では最初だけおこなう。
【００２６】
タッチ位置検出は透明基板のＸ座標検出とＹ座標検出とを含む。タッチパネル制御部１８は、タッチが継続されている間、Ｘ座標検出とＹ座標検出との順番を１回ごとに変更してタッチ位置検出を繰り返す。例えば、１回目の座標検出がＸ座標、Ｙ座標の順番でおこなわれた後、２回目の座標検出をＹ座標、Ｘ座標の順番でおこなう。座標検出のために抵抗膜Ｒ１，Ｒ２に傾斜した電位を形成するが、この電位形成のために所定の待ち時間（例えば５００μｓ）を設ける必要がある。例えば、Ｘ座標、Ｙ座標の順番で座標を検出した後、Ｙ座標、Ｘ座標の順番で座標検出をおこなえば、２回目の座標検出の際、Ｙ座標を検出するための電位が抵抗膜Ｒ２に形成されている。したがって、電位を形成するための所定の待ち時間を取る必要はなく、座標検出の高速化が可能となる。
【００２７】
タッチパネル制御部１８は、ある座標検出の後、次の座標検出までの間にリリースを判定しなくてはならない。本発明では、タッチ位置検出時の電極Ｘ１，Ｙ１の電位Ｅ４，Ｅ５がリファレンス値以下になった場合に、タッチパネル制御部１８はリリースと判定する。指または所定のペンが上側透明基板から離れることによって、タッチ位置検出時の電極Ｘ１，Ｙ１の電位Ｅ４，Ｅ５がタッチされていないときの最低の電位まで下がる。例えば、図５（ｂ）、（ｃ）では、タッチされなければ、Ｅ４とＥ５はＶｘとＶｙとはならずに０Ｖとなる。本発明では、リファレンス値を設定し、そのリファレンス値よりも下がったときにリリースと判定する。
【００２８】
タッチパネル制御部１８は、リファレンス値を得るために、最初のタッチ検出をおこなう前に、Ｘ座標とＹ座標を検出するための電圧を順番に電極Ｘ２，Ｙ２に印加して抵抗膜Ｒ１，Ｒ２に傾斜した電位を形成する（図３（ａ）、（ｂ））。抵抗膜Ｒ１，Ｒ２の電位の低い方の電極Ｘ１，Ｙ１から電位Ｅ１，Ｅ２を取得して、この電位をリファレンス値として記憶する。例えば、Ｘ座標を検出するための電圧は電極Ｘ２に印加し、電極Ｘ２とＸ１の間に傾斜した電位を形成するが、電位の低い方の電極Ｘ１の電位Ｅ１がリファレンス値となる。このとき、電極Ｘ１，Ｙ１の最低の電位Ｅ１，Ｅ２は配線の寄生成分の抵抗ｒによって０Ｖになることはない。例えば、Ｙ座標の座標を検出する際、電極Ｘ１の電位Ｅ５が同じ電極Ｘ１のリファレンス値Ｅ１よりも小さくなればリリースと判定できる。以上をまとめると、タッチ位置検出時の電極Ｘ１，Ｙ１の電位Ｅ４，Ｅ５が、タッチされていない状態でタッチ位置検出と同じ方法で印加したときの電極Ｘ１，Ｙ１の最低の電位Ｅ１，Ｅ２よりも小さくなれば、リリースと判定する。
【００２９】
リファレンス値の取得はタッチ検出の前におこなう。例えば、タッチパネル装置１０を初期化するときにおこなう。タッチパネル装置１０の初期化時に電位Ｅ１，Ｅ２を記憶することによって、タッチパネル装置１０ごとに生じる個体差によってリリースが誤判定されることを防ぐことができる。
【００３０】
本発明のタッチパネル装置１０の動作を図４に示す動作フローに従って説明する。動作フローはタッチ検出、座標検出、リリース判定について示しているが、タッチ検出の前に、タッチパネル装置１０の初期化をおこない、そのときにタッチされていない状態でＸ座標およびＹ座標を検出するための電圧を電極Ｘ２，Ｙ２に印加し、電極Ｘ１，Ｙ１の電位Ｅ１，Ｅ２をリファレンス値として記憶しておく。
【００３１】
タッチパネル装置１０を初期化したときにメモリのタッチ中フラグをオフ、タッチ状態をタッチなしにする。したがって、Ｓ１からＳ２へ進み、図５（ａ）のようにタッチ検出用の電圧Ｖｔを電極Ｘ１，Ｘ２に印加し、抵抗膜Ｒ１に所定の電位が形成されるまで所定時間待つ（Ｓ３）。なお、電源電圧がＶｄであっても配線抵抗ｒによってＶｔまで下がる。
【００３２】
一定時間経過後、電極Ｙ１の電位をアナログ・ディジタル変換して取得し（Ｓ４）、その電位が閾値以上になっているか否かを判定する（Ｓ５）。閾値以上になっていればタッチされていると判断できる。Ｓ２〜Ｓ４を複数回繰り返してタッチ検出の精度を高めても良い。
【００３３】
タッチが検出されれば、タッチ中フラグをオンにして座標検出がおこなえるようにする（Ｓ６）。また、本発明では、座標検出ごとにＸ座標とＹ座標の検出する順番を変えるので、そのためにタッチ状態を初回タッチ検出とする（Ｓ７）。Ｓ６とＳ７は順番が逆であっても良い。
【００３４】
タッチが検出されなければ、タッチ中フラグはオフのままであり、Ｓ１で再びＳ２の工程に進むこととなる。タッチを検出し、タッチ中フラグをオンにするまで、Ｓ１〜Ｓ５の工程を繰り返す。
【００３５】
タッチを検出し、タッチ中フラグがオンになればＳ１からＳ８に進む。タッチ状態は初回タッチ検出であるので、図５（ｂ）のように、Ｘ座標検出のために電極Ｘ２に電圧を印加し（Ｓ９）、抵抗膜Ｒ１に所定の電位が形成されるまで所定時間待つ（Ｓ１０）。所定時間経過後、電極Ｙ１の電位Ｅ４をアナログ・ディジタル変換して（Ｓ１１）、電位のディジタルデータを取得する（Ｓ１２）。
【００３６】
図５（ｃ）のように、Ｙ座標検出のために電極Ｙ２に電圧を印加し（Ｓ１３）、抵抗膜Ｒ２に所定の電位が形成されるまで所定時間待つ（Ｓ１４）。電極Ｘ１の電位をアナログ・ディジタル変換し（Ｓ１５）、電位Ｅ５のディジタルデータを取得する（Ｓ１６）。
【００３７】
Ｙ座標検出後、タッチ状態をＹ座標検出済みにする（Ｓ１７）。これは、次回のタッチ位置検出をＹ座標の検出からおこなうために、Ｙ座標を検出するための電位が抵抗膜Ｒ２に形成されていることを記憶するためである。
【００３８】
Ｘ座標およびＹ座標の検出のためにアナログ・ディジタル変換した値がリファレンス値より大きければ、タッチが継続されていることがわかる（Ｓ１８）。アナログ・ディジタル変換した値をバッファに保存し（Ｓ１９）、タッチパネル制御部１８は保存された値からＸ座標、Ｙ座標を求め（Ｓ２０）、電子機器１１の主制御部２０にその座標を送る（Ｓ２１）。電子機器１１の主制御部２０はその座標から所定の処理をおこなう。Ｓ１９でバッファに保存するのは、Ｘ座標とＹ座標の取得を複数回行い、その平均値から座標を求めるためである。したがって、図４のフローではＸ座標とＹ座標の取得は１回であるが、複数回行っている。平均値を求める必要がなければバッファに保存する必要はない。
【００３９】
再びＳ１の処理に戻ったとき、タッチ中フラグはオンのままであるため、Ｓ８の処理に進む。タッチ状態はＹ座標検出済みであるため、Ｓ２２に進み、Ｙ座標を検出するための電極Ｘ１の電位Ｅ５をアナログ・ディジタル変換し（Ｓ２２）、電位のディジタルデータを取得する（Ｓ２３）。このとき、先の座標検出がＹ座標検出で終わっており、抵抗膜Ｒ２には所定の電位が形成されているので、最初から電極Ｙ２に電圧を印加し、一定時間待機する必要はない。
【００４０】
Ｓ２５でＸ座標を検出するための電極Ｘ２に電圧を印加し（Ｓ２４）、一定時間待機した後（Ｓ２５）、電極Ｙ１の電位Ｅ４をアナログ・ディジタル変換し（Ｓ２６）、電位のディジタルデータを取得する（Ｓ２７）。
【００４１】
今回の座標検出では、Ｘ座標の検出が後になっているので、次回の座標検出ではＸ座標を先に検出することとなる。タッチ状態はＸ座標検出済みとする（Ｓ２８）。
【００４２】
タッチが継続されていれば、再びＳ１８〜Ｓ２１の処理をおこない、Ｓ１の処理へと戻る。
【００４３】
再びＳ１からＳ８の処理に戻ったとき、タッチ状態はＸ座標検出済みとなっているので、Ｓ１１の処理に進む。前回のＹ座標の検出時と同様に、最初に検出されるＸ座標に関しては最初から電極Ｘ２に電圧を印加する必要はない。以降、Ｓ１１〜Ｓ１７は上述した処理と同様である。
【００４４】
タッチが継続されている間、Ｓ１からＳ８へ進み、Ｓ２１の処理までを繰り返す。タッチ検出をおこなうのは最初だけで、後はタッチ位置座標を検出し、そのときの電位Ｅ４，Ｅ５からリリースを判定する。タッチ座標検出の検出は、１回ごとにＸ座標とＹ座標の検出する順番が変わる。
【００４５】
リリースされた場合、電極Ｘ１，Ｙ１の電位Ｅ４，Ｅ５がリファレンス値まで下がるため、Ｓ１８の後にＳ２９の処理へと進むこととなる。Ｓ２９でタッチ中フラグをオフにして、タッチ検出をおこなえるようにする。Ｓ３０では、リリースデータを電子機器１１の主制御部２０に送り、主制御部２０は次の処理へと進む。次回のタッチに備えて、Ｓ３１では、タッチ状態をタッチなしにする。Ｓ３１の後、次にタッチがあるまで、Ｓ１〜Ｓ５の処理を繰り返す。なお、Ｓ２９〜Ｓ３１は、順番が変わっても良い。
【００４６】
以上のように、本発明はタッチを１度検出すれば、後は座標検出のみであり、座標検出が従来に比べて高速におこなえる。座標検出ごとにＸ座標とＹ座標の検出する順番を変更することにより、抵抗膜Ｒ１，Ｒ２に所定の電位が形成されるまでの時間も削減することができ、このことによっても座標検出の高速化が可能である。例えば、従来と比べて約５０〜７０％の時間で座標を得ることができる。
【００４７】
本発明について実施形態を説明したが、本発明は上述の内容に限定されるものではない。例えば、Ｓ１８で電極Ｘ１，Ｙ１の電位Ｅ４，Ｅ５がリファレンス値未満になった場合、Ｓ２〜Ｓ５のタッチ検出をおこなっても良い。電位Ｅ４，Ｅ５は０〜リファレンス値の範囲でリリースと判定していたが、リファレンス値付近のときにリリースか否かが微妙な場合がある。そのような場合に、リリースの判定精度を高めることができる。
【００４８】
タッチパネル装置１０の初期化時にタッチされていない状態での最低の電位Ｅ１，Ｅ２を取得してリファレンス値としたが、電圧を印加した方の電極Ｘ２，Ｙ２から最高の電位も同時に取得しても良い。タッチパネル制御部１０は、最高と最低の電位が所定の値であるか否かをチェックし、タッチパネル装置１０が正常に動作しているかを判定する。
【００４９】
リファレンス値は、タッチパネル装置１０が初期化されたときに取得したが、予めメモリに記憶しておいても良い。記憶された値を使用してリリースを判定する。
【００５０】
Ｘ座標とＹ座標を取得するときの電位Ｅ４，Ｅ５とリファレンス値とを比較してリリースを判定したが、Ｘ座標かＹ座標のいずれか一方の電位であっても良い。リファレンス値もＸ座標かＹ座標のいずれか一方を取得すればよい。
【００５１】
その他、本発明は、その主旨を逸脱しない範囲で当業者の知識に基づき種々の改良、修正、変更を加えた態様で実施できるものである。
【図面の簡単な説明】
【００５２】
【図１】本発明のタッチパネルの動作を示す図である。
【図２】タッチパネルの構成を示す図である。
【図３】リファレンス値を取得するときの図であり、（ａ）はＸ方向に電位勾配を形成した図であり、（ｂ）はＹ方向に電位勾配を形成した図である。
【図４】タッチパネルの動作を示すフローである。
【図５】タッチ検出と座標検出を示す図であり、（ａ）はタッチ検出を示す図であり、（ｂ）はＸ座標の検出を示す図であり、（ｂ）はＹ座標の検出を示す図である。
【図６】従来のタッチパネルの動作を示すフローである。
【図７】従来のタッチパネルの動作を示す図である。
【符号の説明】
【００５３】
１０：タッチパネル装置
１１：電子機器
１２：表示部
１４：表示制御部
１６：タッチパネル
１８：タッチパネル制御部
２０：主制御部（ＣＰＵ）
Ｘ１，Ｘ２，Ｙ１，Ｙ２：電極
Ｒ１，Ｒ２：抵抗膜
ｒ：配線抵抗
【図１】
2009175902.tif 000003
【図２】
2009175902.tif 000004
【図３】
2009175902.tif 000005
【図４】
2009175902.tif 000006
【図５】
2009175902.tif 000007
【図６】
2009175902.tif 000008
【図７】
2009175902.tif 000009